(57)【要約】      （修正有）【課題】既存の配電盤に手を加えることなく余剰電流を適正に算出して充電制御を行えるようにする。【解決手段】ブレーカ２２に対する余剰電流を算出し、蓄電池を充放電するための指令値を生成して出力する余剰電流算出回路６Ａと、指令値に基づき蓄電池の充電電流を設定する電流変換部６Ｂと、を備え、かつ、余剰電流算出回路は、Ｌ１及びＬ２線に流れる電流の合計値とブレーカの設定容量との差分を算出する第１算出部と、Ｌ１及びＬ２線に流れる電流と、ブレーカの設定容量との最小差分を求める第２算出部と、ブレーカの種類に基づいて第１算出部からの信号と、第２算出部とからの信号との何れかを選択する設定信号選択部と、を備える。【選択図】図１
2017034840.tif 000002
【特許請求の範囲】
【請求項１】
Ｌ１，Ｎ，Ｌ２線からなる単相３線の電力系統からブレーカを介して蓄電池を充電する蓄電システムであって、
前記ブレーカに対する余剰電流を算出し、前記蓄電池を充放電するための指令値を生成して出力する余剰電流算出回路と、
前記指令値に基づき前記蓄電池の充電電流を設定する電流変換部と、を備え、かつ、
前記余剰電流算出回路は、
前記Ｌ１，Ｌ２線に流れる電流の合計値と前記ブレーカの設定容量との差分を算出する第１算出部と、
前記Ｌ１，Ｌ２線に流れる電流と、前記ブレーカの設定容量との最小差分を求める第２算出部と、
前記ブレーカの種類に基づいて前記第１算出部からの信号と、前記第２算出部とからの信号との何れかを選択する設定信号選択部と、
を備えることを特徴とする蓄電システム。
【請求項２】
請求項１に記載の蓄電システムであって、
前記第１算出部は前記第２算出部の出力を取り込んで得た前記Ｌ１，Ｌ２線に流れる電流の合計値と前記ブレーカの設定容量との差分と、前記Ｌ１，Ｌ２線に流れる電流と前記ブレーカの設定容量との最小差分と、の小さい方の差分を選択して設定信号選択部に出力することを特徴とする蓄電システム。
【請求項３】
請求項１又は２に記載の蓄電システムであって、
前記第１算出部は、前記Ｌ１，Ｌ２線に流れる電流の合計値を算出する際に、前記蓄電池への充放電電流を前記合計電流から減算して設定容量との差分を求めることを特徴とする蓄電システム。
【請求項４】
請求項１乃至３のいずれか１項に記載の蓄電システムであって、
前記電流変換部は、直流電流と交流電流との間の変換を行うＡ／Ｄ変換部を備え、
前記設定信号に基づき前記Ａ／Ｄ変換部を流れる電流が設定されることを特徴とする蓄電システム。
【請求項５】
請求項１乃至３のいずれか１項に記載の蓄電システムであって、
前記電流変換部は、直流電流を直流電流に変換するＤ／Ｄ変換部を備え、
前記設定信号に基づき前記Ｄ／Ｄ変換部を流れる電流が設定されることを特徴とする蓄電システム。
【請求項６】
請求項５に記載の蓄電システムであって、
前記Ｄ／Ｄ変換部は、昇圧チョッパ型又は降圧チョッパ型であることを特徴とする蓄電システム。
【発明の詳細な説明】
【技術分野】
【０００１】
本発明は、蓄電池の充放電を管理する蓄電システムに関する。
【背景技術】
【０００２】
今日、蓄電池を利用した自動車等の大型機器の開発が進んでいる。蓄電池の充電は、所有者の自宅等で行うことが多いと想像されるが、自宅の電源には許容範囲があり、許容範囲を超えるとブレーカが落ちてしまう（トリップする）。
【０００３】
しかし、利用者は、ブレーカがトリップするまでの余剰電流については解らない。従って、充電を開始してブレーカがトリップしたとき、余剰電流がないことを知ることになる。
【０００４】
そこで、特開２０１２−１９１７７３号公報においては、他の電力機器の使用を妨げないで、適正に蓄電池を充電することができるようにする蓄電池充電制御システムが提案されている。具体的には、この蓄電池充電制御システムは、送配電線路からの受電電力を監視して宅内機器に供給される負荷電流を測定する負荷電流測定手段と、測定された負荷電流と蓄電池の充電電流とを加算したとき、受電電力に関する契約電力容量から求められる最大許容負荷電流を越えない範囲で、蓄電池の適正充電電流を計算する充電電流計算手段と、蓄電池を適正充電電流で充電するとともに、測定された負荷電流が一定量だけ変化するたびに、蓄電池の適正充電電流を再計算して、蓄電池の充電電流を変更する蓄電池充電制御手段とを備えている。
【０００５】
また、特開２０１３−１３８５３３号公報においては、分電盤から電気車両に供給される充電電流を調整する充電制御装置とともに用いられ、分電盤に設けられている複数の電路に流れる電流を個別に検出する第１の電流検出部と、充電電流を検出する第２の電流検出部と、第１の電流検出部の検出結果と第２の電流検出部の検出結果を用いて充電電流の上限値を演算する演算手段と、演算手段で演算される上限値を充電制御装置に通知する通知手段とを備えた電力監視装置が提案されている。これにより、充電電圧の電圧実効値の種類（１００ボルトと２００ボルト）やリミッタの有無などの給電条件に応じた適切な演算方法で充電電流の上限値を演算することができる。
【先行技術文献】
【特許文献】
【０００６】
【特許文献１】特開２０１２−１９１７７３号公報
【特許文献２】特開２０１３−１３８５３３号公報
【発明の概要】
【発明が解決しようとする課題】
【０００７】
しかしながら、特開２０１２−１９１７７３号公報、及び、特開２０１３−１３８５３３号公報にかかる構成では、ブレーカの種類に応じた対応ができなかった。
【０００８】
このため、ブレーカをトリップさせることなく充電電流に回せる電流を余剰電流と定義した際に、既存の配電盤に手を加えることなく余剰電流を適正に算出して充電を行うことが困難であった。
【０００９】
そこで、本発明の主目的は、既存の配電盤に手を加えることなく余剰電流を適正に算出して充電制御を行えるようにする蓄電システムを提供することである。
【課題を解決するための手段】
【００１０】
上記課題を解決するため、Ｌ１，Ｎ，Ｌ２線からなる単相３線の電力系統からブレーカを介して蓄電池を充電する蓄電システムにかかる発明は、ブレーカに対する余剰電流を算出し、蓄電池を充放電するための指令値を生成して出力する余剰電流算出回路と、指令値に基づき蓄電池の充電電流を設定する電流変換部と、を備え、かつ、余剰電流算出回路は、Ｌ１，Ｌ２線に流れる電流の合計値とブレーカの設定容量との差分を算出する第１算出部と、Ｌ１，Ｌ２線に流れる電流と、ブレーカの設定容量との最小差分を求める第２算出部と、ブレーカの種類に基づいて第１算出部からの信号と、第２算出部とからの信号との何れかを選択する設定信号選択部と、を備えることを特徴とする。
【発明の効果】
【００１１】
本発明によれば、既存の配電盤に手を加えることなく余剰電流を適正に算出して充電制御を行えるようになる。
【図面の簡単な説明】
【００１２】
【図１】第１実施形態にかかる蓄電システムの構成図である。
【図２】第２実施形態にかかる蓄電システムの構成図である。
【図３】１００Ｖの負荷と２００Ｖの負荷と例示した図である。
【図４】検出電流の合計値から充放電電流を減算する構成図である。
【図５】昇圧チョッパ型又は降圧チョッパ型のＤ／Ｄ変換部を備えた蓄電システムの構成図である。
【発明を実施するための形態】
【００１３】
＜第１実施形態＞
本発明の第１実施形態を説明する。図１は、本実施形態にかかる蓄電システムの構成図である。この蓄電システム４Ａは、Ｌ１，Ｎ，Ｌ２相線２３ａ〜２３ｃからなる単相３線の電力系統からブレーカ２２を介して蓄電池５を充電する。このとき、ブレーカ２２に対する余剰電流を算出し、蓄電池５を充放電するための指令値を生成して出力する余剰電流算出回路６Ａと、指令値に基づき蓄電池５の充電電流を設定する電流変換部６Ｂと、を備える。また、余剰電流算出回路６Ａは、Ｌ１，Ｌ２相線２３ａ、２３ｂに流れる電流の合計値とブレーカ２２の設定容量との差分を算出する第１算出部６５Ａと、Ｌ１，Ｌ２相線２３ａ、２３ｂに流れる電流と、ブレーカ２２の設定容量との最小差分を求める第２算出部６５Ｂと、ブレーカ２２の種類に基づいて第１算出部６５Ａからの信号と、第２算出部６５Ｂとからの信号との何れかを選択する設定信号選択部６８と、を備える。
【００１４】
これにより、既存の配電盤に手を加えることなく、ブレーカ２２の種類に応じて余剰電流を適正に算出して充電制御を行えるようになる。
＜第２実施形態＞
次に本発明の第２実施形態を説明する。本実施形態は、第１実施形態の詳細な実施形態に相当する。このため、同一の構成要素に対して、同一の符号を用いて重複説明を適宜省略することがある。
【００１５】
図２は、本実施形態にかかる蓄電システム４Ｂの構成図である。この蓄電システム４Ｂは、蓄電池５と、ＰＣＳ（Ｐｏｗｅｒ  Ｃｏｎｄｉｔｉｏｎｉｎｇ  Ｓｙｓｔｅｍ）６とを含んでいる。蓄電池５は、リチュームイオン電池等の二次電池である。ＰＣＳ６は、蓄電池５の充放電を管理するために、余剰電流算出回路６Ａと、電流変換部６Ｂ、充放電制御回路６Ｃとを備える。そして、余剰電流算出回路６Ａで余剰電流を算出して蓄電池５の充放電を制御するための信号を電流変換部６Ｂに出力する。電流変換部６Ｂは、信号に基づき蓄電池５の充放電を制御する。
【００１６】
なお、図２においては、電源２１及びブレーカ２２により形成される電力系統２も併せて図示している。電源２１は単相３線式の商用電源であり、電力は、ブレーカ２２を介して負荷（不図示）に供給される。
【００１７】
単相３線式の商用電源は、Ｌ１相線、Ｌ２相線、Ｎ相線と呼称される３線からなっている。以下、Ｌ１相線、Ｌ２相線、Ｎ相線を、それぞれＬ１線２３ａ、Ｌ２線２３ｂ、Ｎ線２３ｃと記載する。
【００１８】
そして、負荷としては、１００Ｖ駆動のテレビや冷蔵庫等が例示され、これらはＬ１線２３ａとＮ線２３ｃとに接続され、又は、Ｌ２線２３ｂとＮ線２３ｃとに接続される。一方、２００Ｖ駆動の負荷としては、エアコン、食部洗浄機、蓄電システム４Ｂが例示され、これらはＬ１線２３ａとＬ２線２３ｂとに接続されている。
【００１９】
ブレーカ２２には、電力会社との契約電流量が遮断電流であるアンペアブレーカや過電流保護のために所定の電流値になると動作するＭＣＣＢ（Ｍｏｌｄｅｄ  Ｃａｓｅ  Ｃｉｒｃｕｉｔ  Ｂｒｅａｋｅｒ）が知られている。但し、ブレーカ２２側に何らかの設備を追加しない限り（既存の配電盤に手を加えない限り）、蓄電システム４Ｂは、電力系統２に用いられているブレーカ２２がアンペアブレーカとＭＣＣＢとの何れであるかを知ることができない。本実施形態では、後述するように、蓄電システム４Ｂの設置時にユーザ（当該蓄電システム４Ｂの設置者等であって、ブレーカ情報（種類や電流を適正、かつ、適法に設定できる者）が設定できるように構成されている。
【００２０】
そして、電流検出には、Ｌ１線２３ａやＬ２線２３ｂにＣＴ（Ｃｕｒｒｅｎｔ  Ｔｒａｎｓｆｏｒｍｅｒ）等の電流検出部を設けることが多い。図２における符号２４ａ，２４ｂは、この電流検出部を示し、その検出電流をＩｇ＿ｕ，Ｉｇ＿ｖと記載している。このとき、検出電流Ｉｇ＿ｕはＬ１線２３ａを流れる電流であり、検出電流Ｉｇ＿ｖはＬ２線２３ｂを流れる電流である。
【００２１】
また、電力系統２に接続された図示しない負荷に供給されている電圧は、図示しない電圧検出手段により検出され、その検出電圧がＶｇ＿ｕｎ、Ｖｇ＿ｖｎ、Ｖｌ＿ｕｖとして記載している。このときの、検出電圧Ｖｇ＿ｕｎはＬ１線２３ａとＮ線２３ｃとの線間電圧であり、検出電圧Ｖｇ＿ｖｎはＬ２線２３ｂとＮ線２３ｃとの線間電圧であり、検出電圧Ｖｌ＿ｕｖはＬ１線２３ａとＬ２線２３ｂとの線間電圧である。
【００２２】
次に、ＰＣＳ６について詳しく説明する。ＰＣＳ６は、先に述べたように、余剰電流算出回路６Ａと、電流変換部６Ｂと、充放電制御回路６Ｃとを備える。
【００２３】
余剰電流算出回路６Ａは、第１算出部６５Ａと第２算出部６５Ｂとを含む総合余裕度算出回路６５、及び、設定信号選択部６８を備える。
【００２４】
電流変換部６Ｂは、Ｄ／Ｄ変換部６１、Ａ／Ｄ変換部６２、電流検出部６３を含んでいる。なお、電流検出部６３は、インバータ電流検出部６３ａ、バッテリ電流検出部６３ｂを含んでいる。
【００２５】
また、充放電制御回路６Ｃは、充放電量設定部６９、系統電流制御演算部７０、電流制御部７１、変調率演算部７２、ＰＷＭ（（Ｐｕｌｓｅ  Ｗｉｄｔｈ  Ｍｏｄｕｌａｔｉｏｎ））回路７３を含んでいる。
【００２６】
そして、総合余裕度算出回路６５には、ブレーカ２２の動作値がユーザにより設定容量として設定される。この設定容量とは、アンペアブレーカの場合には契約電流であり、ＭＣＣＢの場合には許容電流である。以下、この設定容量を設定電流Ｉｓと記載する。例えば、契約電流が３０［Ａ］の場合には、Ｉｓ＝３０［Ａ］の値が設定される。
【００２７】
また、設定信号選択部６８には、ユーザによってブレーカ２２の種類を指定するためのブレーカ設定指令が入力される。設定信号選択部６８は、ブレーカ設定指令がアンペアブレーカを指示する場合には、コモン端子「Ｃ」を端子「０」に接続して、第１選択部６５ｆの出力を選択する。一方、ＭＣＣＢを指示する場合には、コモン端子「Ｃ」を端子「１」に接続して第２選択部６６ｇの出力を選択する。
【００２８】
次に、蓄電システム４Ｂの詳細な構成を、その動作と共に説明する。種々の負荷が電力供給を受けているときに、ブレーカ２２の余剰電流を考慮せずに蓄電池５への充電を開始するとブレーカ２２がトリップすることがある。そこで、本実施形態では、以下の方法により、余剰電流を検出判断して、ブレーカ２２のトリップを抑制している。
【００２９】
余剰電流を検出判断するためには、現在供給されている電流量を知る必要がある。このことを、図３を参照して説明する。図３は、１００Ｖの負荷Ｌ１，Ｌ２と２００Ｖの負荷Ｌ３とを示している。電流検出部２４ａの検出電流Ｉｇ＿ｕは、負荷Ｌ１に流れる電流Ｉ１と、負荷Ｌ３に流れる電流Ｉ３との合計である。同様に、電流検出部２４ｂの検出電流Ｉｇ＿ｖは、負荷Ｌ２に流れる電流Ｉ２と、負荷Ｌ３に流れる電流Ｉ３との合計である。従って、各検出電流は、
Ｉｇ＿ｕ＝Ｉ１＋Ｉ３
Ｉｇ＿ｖ＝Ｉ２＋Ｉ３
と書ける。
【００３０】
そして、余剰電流ΔＩは、設定電流Ｉｓと消費電流Ｉｃとの差（ΔＩ＝Ｉｓ−Ｉｃ）と定義できる。但し、消費電流Ｉｃの評価方法が問題となる。即ち、アンペアブレーカの消費電流はＩ１＋Ｉ２＋Ｉ３であり、ＭＣＣＢの消費電流はＩ１＋Ｉ３（＝Ｉｇ＿ｕ）又はＩ２＋Ｉ３（＝Ｉｇ＿ｖ）の大きい方の電流である。従って、ブレーカ２２の種類により消費電流の定義が異なる。
【００３１】
先に示した検出電流Ｉｇ＿ｕ、Ｉｇ＿ｖには、３つの未知数（Ｉ１，Ｉ２，Ｉ３）が含まれているが、２つの電流検出手段（電流検出部２４ａ、２４ｂ）しか設けられていないので、現在の消費電流Ｉｃを正確に知ることができない。そこで、余剰電流として後述する２つのパターン（第１パターン、第２パターン）を考え、余剰電流の少ないパターンに基づき蓄電池５の充電を行うように制御する。
【００３２】
第１パターンは、各検出電流の合計値を消費電流Ｉｃ（Ｉｃ＝Ｉｇ＿ｕ＋Ｉｇ＿ｖ）とする考えである。この第１パターンの消費電流は、アンペアブレーカにおける消費電流に近い。しかし、このときの消費電流Ｉｃは、実際の全消費電流より電流Ｉ３だけ多く見積っている（Ｉｃ＝Ｉｇ＿ｕ＋Ｉｇ＿ｖ＝Ｉ１＋Ｉ２＋２＊Ｉ３）。
【００３３】
なお、電流Ｉ３は蓄電池５への充電を行わないときは適正な余剰電流の寄与分となる。しかし、充電中は既に供給されている充電電流が、この電流Ｉ３に含まれているので、適正な余剰電流の寄与分とならない。
【００３４】
一般に、負荷は、一定の消費電流で動作しているとは限らない。例えば、エアコンでは室温に応じて圧縮機や送風機等が動作し、炊飯部では設定時間になると炊飯が開始され、パソコンでは一定時間使わないと省エネモードに遷移したりする。このように、負荷は、当該負荷固有のモードで動作するため消費電流は時間と共に変動する。
【００３５】
従って、充電中も余剰電流を判断して充電電流を算出する必要がある。充電中の電流Ｉ３は、エアコン等の２００Ｖ機器による消費電流（Ｉ３＿ａと記載）と、蓄電池５への充電電流（Ｉ３＿ｂと記載）との和（Ｉ３＝Ｉ３＿ａ＋Ｉ３＿ｂ）である。電流検出部６３には、バッテリ電流検出部６３ｂを含まれ、このバッテリ電流検出部６３ｂの検出値が、上記Ｉ３＿ｂに対応する充放電電流Ｉｉｎｖである。
【００３６】
そこで、充電時における充電電流以外の消費電流を正確に評価するために、図４に示すような充電電流減算回路を第１算出部６５Aに付加することができる。この充電電流減算回路は、各検出電流の合計値Ｉｃである加算部６５ｃの出力から充放電電流Ｉｉｎｖを減算した消費電流を算出する。このとき、加算部６５ｃから出力される消費電流Ｉｃは、
Ｉｃ＝Ｉｇ＿ｕ＋（Ｉｇ＿ｖ−Ｉｉｎｖ）
＝Ｉ１＋Ｉ２＋２＊Ｉ３−Ｉｉｎｖ
となる。従って、充電中でも充電していない状態として余剰電流を算出することが可能になる。
【００３７】
第２パターンは、Ｉｇ＿ｕとＩｇ＿ｖとで大きい方を消費電流とする考えである。即ち、Ｉｃ＝Ｉｇ＿ｕ又はＩｃ＝Ｉｇ＿ｖとする。このパターンの消費電流は、ＭＣＣＢにおける消費電流に近い。
【００３８】
先にも述べたように、負荷は、固有のモードで動作して消費電流は時間と共に変動する。しかし、蓄電システム４Ｂは、かかる負荷の運転状況を知ることができず、かつ、ブレーカ２２をトリップさせることなく蓄電池５の充放電を制御しなければならない。このことは、蓄電システムが蓄電池５への充電制御を行う際には、負荷の消費電力が変動することを見越した制御を行う必要がある。即ち、ブレーカ２２をトリップさせないように余裕を見て充電制御を行う必要がある。無論、余り大きな余裕では意味がない。
【００３９】
そこで、本実施形態においては、第１パターンの消費電流にはマージンとして余分に見込んだ電流Ｉ３が含まれるとする。そして、このマージンの適正判断も含めて、アンペアブレーカに対しては第１パターンと第２パターンとで余剰電流の少ない方を選択する。
【００４０】
第１算出部６５は、実効値算出部６５ａ、実効値算出部６５ｂ、加算部６５ｃ、ＰＩ制御部６５ｄ、加算部６５ｄ６５ｅ、第１選択部６５ｆを含んで、アンペアブレーカに対して余剰電流を算出して制御する。
【００４１】
即ち、実効値算出部６５ａには検出電流Ｉｇ＿ｕが入力しているので、当該実効値算出部６５ａは検出電流Ｉｇ＿ｕの実効値を算出して加算部６５ｃに出力する。同様に、実効値算出部６５ｂには検出電流Ｉｇ＿ｖが入力しているので、当該実効値算出部６５ｂは検出電流Ｉｇ＿ｖの実効値を算出して加算部６５ｃに出力する。
【００４２】
加算部６５ｃは、検出電流Ｉｇ＿ｕと検出電流Ｉｇ＿ｖとの実効値を加算して、加算部６５ｅに出力する。即ち、加算部６５ｃは、Ｉｇ＿ｕ＋Ｉｇ＿ｖ（＝Ｉｃ）を算出する。
【００４３】
加算部６５ｅには設定容量Ｉｓが入力しているので、当該加算部６５ｅは設定容量ＩｓからＩｃを減算し、その結果（Ｉｓ−Ｉｃ（＝ΔＩ））をＰＩ制御部６５ｄに出力する。
【００４４】
ＰＩ制御部６５ｄは、比例制御（Ｐｒｏｐｏｒｔｉｏｎａｌ  Ｃｏｎｔｒｏｌｌ）と積分制御（Ｉｎｔｅｇｒａｌ  Ｃｏｎｔｒｏｌｌ）とを行うことにより、速やかに現在値が目標値に達するようにする制御である。ここでは、現在値が余剰電流ΔＩであり、目標値が「ゼロ」である。従って、ＰＩ制御部６５ｄは余剰電流ΔＩが無くなるように、算出信号を出力する。この算出信号は、蓄電池５の充電電流を設定する際の設定指令信号（以下、算出信号Ｇ１）となる。なお、本明細書におけるＰＩ制御は、ＰＩＤ（Ｐｒｏｐｏｒｔｉｏｎａｌ−Ｉｎｔｅｇｒａｌ−Ｄｅｒｉｖａｔｉｖｅ）制御を排除するものではない。
【００４５】
一方、検出電流Ｉｇ＿ｕと検出電流Ｉｇ＿ｖとは、第２算出部６５Ｂにも入力している。この第２算出部６５Ｂは、実効値算出部６６ａ、加算部６６ｂ、ＰＩ制御部６６ｃ、実効値算出部６６ｄ、加算部６６ｅ、ＰＩ制御部６６ｆ、第２選択部６６ｇを含んでいる。
【００４６】
そして、実効値算出部６６ａは、検出電流Ｉｇ＿ｕの実効値を算出する。加算部６６ｂは、設定容量Ｉｓと検出電流Ｉｇ＿ｕの実効値との差分を算出し、その差分に基づきＰＩ制御部６６ｃが算出信号Ｇ２を出力する。同様に、実効値算出部６６ｄは、検出電流Ｉｇ＿ｖの実効値を算出する。加算部６６ｅは、設定容量Ｉｓと検出電流Ｉｇ＿ｖの実効値との差分を算出し、その差分に基づきＰＩ制御部６６ｆが算出信号Ｇ３を出力する。
【００４７】
ＰＩ制御部６６ｃからの算出信号Ｇ２は、Ｌ１線２３ａを流れる消費電流と設定容量Ｉｓとの差分を示し、ＰＩ制御部６６ｆから出力される算出信号Ｇ３は、Ｌ２線２３ｂを流れる消費電流と設定容量Ｉｓとの差分を示している。
【００４８】
ＭＣＣＢにおいては、Ｌ１線２３ａ又はＬ２線２３ｂの何れか一方が、設定電流に達するとトリップする。そこで、第２選択部６６ｇは、算出信号Ｇ２と算出信号Ｇ３との値を比較して、余剰の小さい信号を選択し、これを蓄電池５の充電電流を設定する際の設定指令信号（以下、第２設定信号Ｇ４）として、第１選択部６５ｆと設定信号選択部６８とに出力する。
【００４９】
第１選択部６５ｆには、算出信号Ｇ１と第２設定信号Ｇ４とが入力している。そこで、第１選択部６５ｆは、算出信号Ｇ１と第２設定信号Ｇ４との値を比較し余剰が少ない信号を選択し、これを第１設定信号Ｇ５として出力する。
【００５０】
設定信号選択部６８は、ブレーカ設定指令に基づき信号の入力先を選択している。即ち、設定信号選択部６８は、ブレーカ２２としてアンペアブレーカが指定された場合には、第１選択部６５ｆからの第１設定信号Ｇ５を選択する。一方、ＭＣＣＢが指定されている場合は、第２選択部６６ｇからの第２設定信号Ｇ４を選択する。そして、選択した設定信号を設定信号Ｇ６として充放電量設定部６９に出力する。
【００５１】
充放電量設定部６９は、ユーザによる充電量指令に基づき蓄電池５に蓄電する蓄電量が指示されている。充電要求量である充電量指令を満たすように、充電条件（充電時間、充電電流）を設定して、この充電条件が満たされている間だけ設定信号Ｇ６を系統電流制御演算部７０に出力する。
【００５２】
この系統電流制御演算部７０は、検出電圧Ｖｌ＿ｕｖの周波数に同期し、かつ、その振幅が設定信号Ｇ６で調整された変動信号を電流制御部７１に出力する。この変動信号を、充電電流基本信号Ｇ７と記載する。電流制御部７１は、現在の充放電電流（充放電電流Ｉｉｎｖ）と目標とする充放電電流（充電電流基本信号Ｇ７）との差分（以下、差分信号Ｇ８）を算出して、変調率演算部７２に出力する。
【００５３】
変調率演算部７２は、差分信号Ｇ８と検出電圧Ｖｌ＿ｕｖとを加算し、この加算された信号とコンバータ電圧Ｖｄｃとの除算を行うことで、現在の検出電圧Ｖｌ＿ｕｖに対する変調率を求める。そして、この変調率を変調率信号Ｇ９としてＰＷＭ回路７３に出力する。
【００５４】
ＰＷＭ回路７３は、変調率信号Ｇ９の大きさに応じて、パルス幅のデュ−ティ・サイクル（パルス幅のＨとＬの比）を設定し、これをコンバータ制御信号Ｇ１０としてＡ／Ｄ変換部６２に入力する。Ａ／Ｄ変換部６２は、蓄電池５の充放電電流をコンバータ制御信号Ｇ１０に応じた電流に設定して流す。
【００５５】
以上説明したように、ブレーカ２２の種類に応じて、最適な充電電流を決定して充電処理を行うので、過電流によりブレーカ２２がトリップしてしまう不都合が抑制できる。特に、充放電電流を決定する際に、負荷の状態変化による消費電流の変動を考慮に入れた制御を行うので、トリップ回避の信頼性が向上する。
【００５６】
なお、上記説明では、Ｄ／Ｄ変換部６１における直流電圧は一定のコンバータ電圧Ｖｄｃに制御されており、Ａ／Ｄ変換部６２から入力されたエネルギー分だけ、Ｄ／Ｄ変換部６１は蓄電池に充電する構成であった。しかし、本発明は、これに限定されるものではなく、例えば図５に示すような構成でも良い。図５におけるＤ／Ｄ変換部６１は、昇圧チョッパ型又は降圧チョッパ型に構成されて、蓄電池５の充電電流をコンバータ制御信号Ｇ１０に基づき制御する。このように充電電流が制御されることによりブレーカ２２のトリップを抑制しながら充電が行えるようになる。
【符号の説明】
【００５７】
２    電力系統
４Ａ，４Ｂ    蓄電システム
５    蓄電池
６    ＰＣＳ
６Ａ    余剰電流算出回路
６Ｂ    電流変換部
６Ｃ  方充電制御回路
２１    電源
２２    ブレーカ
２４ａ，２４ｂ    電流検出部
６３    電流検出部
６３ａ    インバータ電流検出部
６３ｂ    バッテリ電流検出部
６５    総合余裕度算出回路
６５Ａ    第１算出部
６５Ｂ    第２算出部
６５ａ，６５ｂ    実効値算出部
６５ｃ，６５ｅ，６５ｇ    加算部
６５ｄ    ＰＩ制御部
６５ｆ    第１選択部
６６ａ，６６ｄ    実効値算出部
６６ｂ，６６ｅ    加算部
６６ｃ    ＰＩ制御部
６６ｆ    ＰＩ制御部
６６ｇ    第２選択部
６８    設定信号選択部
６９    充放電量設定部
７０    系統電流制御演算部
７１    電流制御部
７２    変調率演算部
７３    ＰＷＭ回路
【図１】
2017034840.tif 000003
【図２】
2017034840.tif 000004
【図３】
2017034840.tif 000005
【図４】
2017034840.tif 000006
【図５】
2017034840.tif 000007